【手続補正書】
【提出日】平成17年7月7日(2005.7.7)
【手続補正１】
【補正対象書類名】明細書
【補正対象項目名】発明の名称
【補正方法】変更
【補正の内容】
【発明の名称】情報処理端末および情報処理方法
【手続補正２】
【補正対象書類名】明細書
【補正対象項目名】特許請求の範囲
【補正方法】変更
【補正の内容】
【特許請求の範囲】
【請求項１】
予定日時および予定の内容に関する情報からなる予定表情報を記憶する第１の記憶部と、
人名と、その人に関する情報とを記憶する第２の記憶部と、
前記第２の記憶部に記憶されている情報を読み出して、前記人名と、前記その人に関する情報のリストを表示素子に表示するリスト表示モードを生成するモード管理手段と、
前記表示モードにおいて、前記リストから１または複数人の選択指定入力と、予定日時の入力を受け付ける予定入力受付手段と、
予め決められた所定の操作がされたときに、前記予定入力受付手段で受け付けられた前記予定日時と、前記選択指定された１または複数人の前記人名とを少なくとも含む予定表情報を形成し、この形成した予定表情報を前記第１の記憶部に書き込む予定表情報書き込み手段と
を備えることを特徴とする情報処理端末。
【請求項２】
前記予定表情報書き込み手段は、前記選択指定された１または複数人の人に関する情報のうちの一部または全部を前記予定表情報に含めることを特徴とする請求項１に記載の情報処理端末。
【請求項３】
予定日時および予定の内容に関する情報からなる予定表情報を記憶する記憶部と、
ネットワークを通じて情報の提供を受け付けるための通信手段と、
前記通信手段を通じて提供を受けた提供情報を表示素子に表示する提供情報表示モードを生成するモード管理手段と、
前記提供情報表示モードにおいて、前記提供情報により提供されるサービスなどの利用対象の利用予定日時の入力を受け付ける予定日時入力受付手段と、
予め決められた所定の操作がされたときに、前記予定日時入力受付手段で受け付けられた、前記利用予定日時と、前記提供情報から抽出された前記利用対象を示す情報とを含む予定表情報を形成し、この形成した予定表情報を前記記憶部に書き込む予定表情報書き込み手段と
を備えることを特徴とする情報処理端末。
【請求項４】
ネットワークを通じて情報の提供を受け付けるための通信手段と、
前記通信手段を通じて提供を受けた提供情報を表示素子に表示する提供情報表示モードを生成するモード管理手段と、
前記提供情報表示モードにおいて、予め決められた所定の操作がされたときに、前記提供情報により提供されるサービスなどの利用対象の提供者情報と、前記利用対象の内容に関する情報との対のデータをメモリに記録する書き込み手段と
を備えることを特徴とする情報処理端末。
【請求項５】
予定日時および予定の内容に関する情報からなる予定表情報を第１の記憶部に記憶する工程と、
人名と、その人に関する情報とを第２の記憶部に記憶する工程と、
前記第２の記憶部に記憶されている情報を読み出して、前記人名と、前記その人に関する情報のリストを表示素子に表示するリスト表示モードを生成するモード管理工程と、
前記表示モードにおいて、前記リストから１または複数人の選択指定入力と、予定日時の入力を受け付ける予定入力受付工程と、
予め決められた所定の操作がされたときに、前記予定入力受付工程において受け付けた前記予定日時と、前記選択指定された１または複数人の前記人名とを少なくとも含む予定表情報を形成し、この形成した予定表情報を前記第１の記憶部に書き込む予定表情報書き込み工程と
を備えることを特徴とする情報処理方法。
【請求項６】
予定日時および予定の内容に関する情報からなる予定表情報を記憶部に記憶する工程と、
ネットワークを通じて情報の提供を受け付ける通信工程と、
前記通信工程において受け付けた提供情報を表示素子に表示する提供情報表示モードを生成するモード管理工程と、
前記提供情報表示モードにおいて、前記提供情報により提供されるサービスなどの利用対象の利用予定日時の入力を受け付ける予定日時入力受付工程と、
予め決められた所定の操作がされたときに、前記予定日時入力受付工程において受け付けた、前記利用予定日時と、前記提供情報から抽出された前記利用対象を示す情報とを含む予定表情報を形成し、この形成した予定表情報を前記記憶部に書き込む予定表情報書き込み工程と
を備えることを特徴とする情報処理方法。
【請求項７】
ネットワークを通じて情報の提供を受け付ける通信工程と、
前記通信工程において受け付けた提供情報を表示素子に表示する提供情報表示モードを生成するモード管理工程と、
前記提供情報表示モードにおいて、予め決められた所定の操作がされたときに、前記提供情報により提供されるサービスなどの利用対象の提供者情報と、前記利用対象の内容に関する情報との対のデータをメモリに記録する書き込み工程と
を備えることを特徴とする情報処理方法。
【手続補正３】
【補正対象書類名】明細書
【補正対象項目名】０００１
【補正方法】変更
【補正の内容】
【０００１】
【発明の属する技術分野】
この発明は、例えば、予定表管理機能（スケジュール管理機能）や電話帳機能などの機能を備える情報処理端末およびこの情報処理端末における情報処理方法に関する。
【手続補正４】
【補正対象書類名】明細書
【補正対象項目名】０００８
【補正方法】変更
【補正の内容】
【０００８】
この発明は、以上の点にかんがみ、使用者の手を煩わせることなく、かつ、正確に、取得した情報あるいは記憶部に記憶されている情報を他の機能でも用いることができるようにする情報処理端末および情報処理方法を提供することを目的とする。
【手続補正５】
【補正対象書類名】明細書
【補正対象項目名】００１９
【補正方法】変更
【補正の内容】
【００１９】
【発明の実施の形態】
以下、この発明による情報処理端末、情報処理方法の一実施の形態を、図を参照しながら説明する。
【手続補正６】
【補正対象書類名】明細書
【補正対象項目名】００２０
【補正方法】変更
【補正の内容】
【００２０】
この実施の形態の情報処理端末は、この発明が適用されたものであり、携帯無線通信端末の構成とされ、携帯電話機能を備えたものである。また、この実施の形態の情報処理端末は、契約関係にある共通サーバ装置とネットワークを通じて接続されて、この共通サーバ装置とが協働することにより、情報提供サービスの提供を受けたり、ファクシミリ通信、電子メール通信を行うことができるようにされたものである。
【手続補正７】
【補正対象書類名】明細書
【補正対象項目名】０１１０
【補正方法】変更
【補正の内容】
【０１１０】
また、この実施の形態において、ＬＣＤ１０５の表示画面に表示された機能一覧メニューから、ＷＷＷブラウザ機能が選択されているときは、会員端末１は共通サーバ装置２からの提供情報（コンテンツ情報）を取得して再生することができる情報再生端末として動作することができるようにされる。このとき、共通サーバ装置２と会員端末１との間のデータのやり取りは、ＨＴＴＰ（Ｈｙｐｅｒ  Ｔｅｘｔ  Ｔｒａｎｓｆｅｒ  Ｐｒｏｔｏｃｏｌ）が用いられ、ＰＨＳ網を利用したＰＩＡＦＳ方式により行われる。共通サーバ装置２から提供される情報のデータ形式は、ＨＴＭＬ（Ｈｙｐｅｒ  Ｔｅｘｔ  Ｍａｒｋｕｐ  Ｌａｎｇｕａｇｅ）である。
【手続補正８】
【補正対象書類名】明細書
【補正対象項目名】０１８４
【補正方法】変更
【補正の内容】
【０１８４】
【発明の効果】
以上説明したように、請求項１、請求項５に記載の発明によれば、いわゆるスケジュール管理機能を用いて予定表情報を入力（書き写す）ことなく、入力された予定日時と、表示中の提供情報の人名などの情報に基づいて予定表情報を形成し、これを第１の記憶部に書き込むことができる。したがって、使用者の手を煩わせることなく、しかも正確に予定表情報を形成し、これを第１の記憶部に記憶し、利用可能にすることができる。
【手続補正９】
【補正対象書類名】明細書
【補正対象項目名】０１８５
【補正方法】変更
【補正の内容】
【０１８５】
また、請求項３、請求項６に記載の発明によれば、いわゆるスケジュール管理機能を用いて予定表情報を入力（書き写す）ことなく、入力された予定日時と、表示中の提供情報から抽出される情報とから予定表情報を形成し、予定表情報の記憶部に書き込むことができる。この場合においても、使用者の手を煩わせることなく、しかも正確に予定表情報を形成し、これを予定表情報の記憶部に記憶して、利用可能にすることができる。
【手続補正１０】
【補正対象書類名】明細書
【補正対象項目名】０１８６
【補正方法】変更
【補正の内容】
【０１８６】
また、請求項４、請求項７に記載の発明によれば、利用対象の提供者情報と、利用対象の内容に関する情報との対のデータを使用者がいちいち書き写す作業を行わなくても、必要な情報をメモリに記憶させ、これを利用可能にすることができる。この場合においても、使用者の手を煩わせることなく、また、正確に必要な情報がメモリに記録し、利用するようにすることができる。